(57)【要約】【課題】本発明は、紛失した端末を拾得者が悪用できないように制限するとともに、その端末の状態をユーザが把握することを可能とする端末等を提供することを目的とする。【解決手段】本発明に係る端末（２）は、無線通信により、通信装置から、特定の機能の使用を制限するための制限設定信号を受信する無線通信部（２０１）と、無線通信部が制限設定信号を受信した場合に、特定の機能の使用を制限する制限制御部（２１２）と、制限制御部が特定の機能の使用を制限した場合に、特定の電話番号のみへ発呼するための画面を表示する表示部（２０３）と、特定の電話番号への発呼を指示する操作部（２０２）と、操作部を用いて特定の電話番号への発呼が指示されると、特定の電話番号へ発呼する発呼制御部（２１４）と、を有する。【選択図】図２
2015088831.tif 000002
【特許請求の範囲】
【請求項１】
無線通信により、通信装置から、特定の機能の使用を制限するための制限設定信号を受信する無線通信部と、
前記無線通信部が前記制限設定信号を受信した場合に、前記特定の機能の使用を制限する制限制御部と、
前記制限制御部が前記特定の機能の使用を制限した場合に、特定の電話番号のみへ発呼するための画面を表示する表示部と、
前記特定の電話番号への発呼を指示する操作部と、
前記操作部を用いて前記特定の電話番号への発呼が指示されると、前記特定の電話番号へ発呼する発呼制御部と、
を有することを特徴とする端末。
【請求項２】
前記特定の電話番号に関する情報は、前記制限設定信号に含まれる、請求項１に記載の端末。
【請求項３】
前記特定の電話番号を前記端末に設定することが可能な第２端末を管理するサーバから、第２端末により設定された前記特定の電話番号を取得する取得部をさらに有する、請求項１又は２に記載の端末。
【請求項４】
前記端末が存在する位置を検出する位置検出部と、
前記端末が存在する位置を示す位置信号を特定の宛先に送信する位置送信部と、をさらに有し、
前記表示部は、前記制限制御部が前記特定の機能の使用を制限した際に、前記位置検出部が前記端末が存在する位置を検出できない場合、又は前記特定の宛先から前記位置信号を受信したことを示す応答信号を受信しない場合に限り、前記特定の電話番号のみへ発呼するための画面を表示する、請求項１〜３の何れか一項に記載の端末。
【請求項５】
無線通信により通信を行う無線通信部と、表示部と、操作部と、を有する端末の制御プログラムであって、
前記無線通信部を介して通信装置から、特定の機能の使用を制限するための制限設定信号を受信し、
前記制限設定信号を受信した場合に、前記特定の機能の使用を制限し、
前記特定の機能の使用を制限した場合に、特定の電話番号のみへ発呼するための画面を前記表示部に表示し、
前記操作部を用いて前記特定の電話番号への発呼が指示されると、前記特定の電話番号へ発呼する、
ことを前記端末に実行させることを特徴とする制御プログラム。
【発明の詳細な説明】
【技術分野】
【０００１】
本発明は、特定の機能の使用を制限する機能を有する端末及び制御プログラムに関する。
【背景技術】
【０００２】
近年、多機能携帯電話（いわゆる「スマートフォン」）が急速に普及している。このような携帯電話は、通話機能以外に電子メール、Ｗｅｂアクセス、ゲーム等の様々な機能を有するとともに、その携帯電話のユーザ及び関係者の名前、電話番号、電子メールアドレス等の個人情報を記憶している。したがって、ユーザが携帯電話を紛失してしまった場合、第三者が携帯電話を利用できないように制限することと、ユーザが、紛失した携帯電話を発見できるようにすることが望まれている。
【０００３】
例えば、特許文献１には、異常操作が行われた場合、解除コードが入力されるまで移動通信端末の操作を制限して警告メッセージを表示し、ＧＰＳ（Global Positioning System）にて取得した位置情報を含むメールを予め登録された緊急時用メールアドレスに送信する移動通信端末悪用防止プログラムが開示されている。
【先行技術文献】
【特許文献】
【０００４】
【特許文献１】特開２００５−１３６９２０号公報
【発明の概要】
【発明が解決しようとする課題】
【０００５】
特許文献１に開示された移動通信端末悪用防止プログラムを利用することにより、所有者は移動通信端末の現在位置を知ることができる。しなしながら、移動通信端末が、ＧＰＳの電波の届かない場所に存在する場合には、所有者は移動通信端末の現在位置を知ることができなかった。
【０００６】
本発明は、このような従来の課題を解決すべくなされたものであり、紛失した端末を拾得者が悪用できないように制限するとともに、その端末の状態をユーザが把握することを可能とする端末及び制御プログラムを提供することを目的とする。
【課題を解決するための手段】
【０００７】
本発明に係る端末は、無線通信により、通信装置から、特定の機能の使用を制限するための制限設定信号を受信する無線通信部と、無線通信部が制限設定信号を受信した場合に、特定の機能の使用を制限する制限制御部と、制限制御部が特定の機能の使用を制限した場合に、特定の電話番号のみへ発呼するための画面を表示する表示部と、特定の電話番号への発呼を指示する操作部と、操作部を用いて特定の電話番号への発呼が指示されると、特定の電話番号へ発呼する発呼制御部と、を有する。
【０００８】
また、本発明に係る端末において、特定の電話番号に関する情報は、制限設定信号に含まれることが好ましい。
【０００９】
また、本発明に係る端末において、特定の電話番号を端末に設定することが可能な第２端末を管理するサーバから、第２端末により設定された特定の電話番号を取得する取得部をさらに有することが好ましい。
【００１０】
また、本発明に係る端末において、端末が存在する位置を検出する位置検出部と、端末が存在する位置を示す位置信号を特定の宛先に送信する位置送信部と、をさらに有し、表示部は、制限制御部が特定の機能の使用を制限した際に、位置検出部が端末が存在する位置を検出できない場合、又は特定の宛先から位置信号を受信したことを示す応答信号を受信しない場合に限り、特定の電話番号のみへ発呼するための画面を表示することが好ましい。
【００１１】
本発明に係る端末の制御プログラムは、無線通信により通信を行う無線通信部と、表示部と、操作部と、を有する端末の制御プログラムであって、無線通信部を介して通信装置から、特定の機能の使用を制限するための制限設定信号を受信し、制限設定信号を受信した場合に、特定の機能の使用を制限し、特定の機能の使用を制限した場合に、特定の電話番号のみへ発呼するための画面を表示部に表示し、操作部を用いて特定の電話番号への発呼が指示されると、特定の電話番号へ発呼することを端末に実行させる。
【発明の効果】
【００１２】
本発明に係る端末及び制御プログラムは、通信装置からの指示に従って、特定の機能の使用を制限し、さらに特定の電話番号のみへ発呼するための画面を表示して特定の電話番号への発呼の指示を受け付けることにより、第三者による端末の悪用を防止するとともに、その端末の状態をユーザが把握することを可能とする。
【図面の簡単な説明】
【００１３】
【図１】通信システム１の概略構成の一例を示す図である。
【図２】携帯端末２の概略構成の一例を示す図である。
【図３】携帯端末２の設定処理の動作フローの一例を示す図である。
【図４】使用制限処理の動作フローの一例を示す図である。
【図５】（ａ）は発呼画面の一例を示す図であり、（ｂ）はパスワード入力画面の一例を示す図である。
【図６】（ａ）は管理端末３の概略構成の一例を示す図であり、（ｂ）は被管理端末管理テーブルのデータ構造の一例を示す図である。
【図７】携帯端末２の設定処理の動作フローの一例を示す図である。
【図８】（ａ）は端末選択画面の一例を示す図であり、（ｂ）は機能選択画面の一例を示す図であり、（ｃ）は「電話帳の編集」の詳細設定画面の一例を示す図であり、（ｄ）は「使用制限の設定」の詳細設定画面の一例を示す図である。
【図９】（ａ）は管理サーバ４の概略構成の一例を示す図であり、（ｂ）は端末管理テーブルのデータ構造の一例を示す図である。
【図１０】携帯端末２の設定処理の動作フローの一例を示す図である。
【発明を実施するための形態】
【００１４】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１５】
本実施形態では、携帯端末が、管理サーバからの指示に従って特定の機能の使用を制限することにより、携帯端末が紛失された場合に、拾得者によって悪用されることを防止する。さらに、携帯端末は、拾得者によって、予め設定しておいた特定の電話番号へ発呼してもらえるように、特定の電話番号のみへ発呼するための画面を表示して特定の電話番号への発呼の指示を受け付ける。
【００１６】
図１は、通信システム１の概略構成の一例を示す図である。
【００１７】
通信システム１は、携帯端末２と、管理端末３と、管理サーバ４と、ＳＭＳ生成サーバ５と、ＳＭＳ送信サーバ６と、更新サーバ７とを有する。
【００１８】
通信システム１では、不図示の交換機が、広域通信回線網である通信ネットワーク９を介して相互に接続される。交換機は、ある地域をカバーする無線通信ネットワークを通信ネットワーク９に接続する。無線通信ネットワークには、それぞれ地域内をカバーする無線ゾーンを管理するように複数の基地局８ａ〜８ｃが配置される。各基地局８ａ〜８ｃは、それぞれが属する不図示の無線ネットワーク制御装置を介して交換機に接続される。そして、ある地域内の携帯端末２が、管理端末３等のその地域内外の他の携帯端末、管理サーバ４、ＳＭＳ送信サーバ６、更新サーバ７等と通信を行う際に、携帯端末２は、基地局８ａを介して交換機に接続され、さらに通信ネットワーク９に接続される。
【００１９】
また、通信ネットワーク９は、イーサネット（登録商標）等の有線ＬＡＮにより、不図示のゲートウェイを介して、イントラネット１０と接続される。イントラネット１０には、管理サーバ４、ＳＭＳ生成サーバ５、ＳＭＳ送信サーバ６及び更新サーバ７がさらに接続される。
【００２０】
なお、本実施形態では、携帯端末２のユーザとして使用にあたり支援が必要な者を想定し、管理端末３のユーザとしてその保護者を想定する。
【００２１】
ＳＭＳ生成サーバ５は、管理サーバ４からの要求に従ってメッセージを作成し、作成したメッセージをＳＭＴＰ（Simple Mail Transfer Protocol）のプロトコルに従って、イントラネット１０を介してＳＭＳ送信サーバ６へ送信するサーバである。
【００２２】
ＳＭＳ送信サーバ６は、イントラネット１０を介してＳＭＳ生成サーバ５から受信したメッセージをＳＭＳ（Short Message Service）のメッセージとして、基地局８ｃ及び通信ネットワーク９を介して携帯端末２に送信するサーバである。そのために、ＳＭＳ送信サーバ６は、イーサネット（登録商標）などの有線の通信インターフェース回路を有してイントラネット１０と通信を行う有線通信部と、主に２．１ＧＨｚ帯を感受帯域とするアンテナを含む通信インターフェース回路を有して通信ネットワーク９と無線通信を行う無線通信部とを有する。
【００２３】
更新サーバ７は、携帯端末２に特定のアプリケーションソフトウェアを提供するサーバである。
【００２４】
図２は、携帯端末２の概略構成の一例を示す図である。
【００２５】
携帯端末２は、通信装置の一例であり、例えば多機能携帯電話（いわゆる「スマートフォン」）であり、無線通信ネットワークへの接続、通話、特定の機能の使用制限、所定のアプリケーションプログラムの実行等を可能とする。そのために、携帯端末２は、無線通信部２０１と、操作部２０２と、表示部２０３と、ＧＰＳ部２０４と、記憶部２０５と、中央処理部２１０とを備える。
【００２６】
無線通信部２０１は、主に２．１ＧＨｚ帯を感受帯域とするアンテナを含む、通信インターフェース回路を有し、携帯端末２を通信ネットワーク９に接続する。無線通信部２０１は、基地局８ａにより割り当てられるチャネルを介して、基地局８ａとの間でＣＤＭＡ（Code Division Multiple Access）方式等による無線信号回線を確立し、基地局８ａとの間で無線通信を行う。そして、無線通信部２０１は、基地局８ａから受信したデータを中央処理部２１０に供給する。また、無線通信部２０１は、中央処理部２１０から供給されたデータを基地局８ａに送信する。
【００２７】
操作部２０２は、携帯端末２の操作が可能であればどのようなデバイスでもよく、例えば、タッチパネル式の入力装置、キーパッド等である。ユーザは、このデバイスを用いて、文字、数字等を入力することができる。操作部２０２は、ユーザにより操作されると、その操作に対応する信号を発生する。そして、発生した信号は、ユーザの指示として、中央処理部２１０に入力される。
【００２８】
表示部２０３は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２０３は、中央処理部２１０から供給される動画像データに応じた動画像、静止画像データに応じた静止画像等を表示する。
【００２９】
ＧＰＳ部２０４は、位置検出部の一例であり、主に１．５ＧＨｚ帯を感受帯域とするアンテナを含む、ＧＰＳ回路を有し、不図示のＧＰＳ衛星からＧＰＳ信号を受信する。ＧＰＳ部２０４は、そのＧＰＳ信号をデコードし、時刻情報等を取得する。そして、ＧＰＳ部２０４は、その時刻情報等に基づいてＧＰＳ衛星から携帯端末２までの擬似距離を計算し、その擬似距離を代入して得られる連立方程式を解くことにより、携帯端末２が存在する位置（緯度、経度、高度等）を検出し、位置情報として出力する。
【００３０】
記憶部２０５は、例えば、半導体メモリを有する。記憶部２０５は、中央処理部２１０での処理に用いられるドライバプログラム、オペレーティングシステムプログラム、アプリケーションプログラム、データ等を記憶する。例えば、記憶部２０５は、ドライバプログラムとして、無線通信部２０１を制御する携帯電話通信デバイスドライバプログラム、操作部２０２を制御する入力デバイスドライバプログラム、表示部２０３を制御する出力デバイスドライバプログラム等を記憶する。また、記憶部２０５は、オペレーティングシステムプログラムとして、携帯電話の接続制御プログラム等を記憶する。また、記憶部２０５は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて記憶部２０５にインストールされてもよい。また、記憶部２０５は、データとして、特定の機能の使用制限を有効にするか否かを示す制限フラグ、使用制限中に発呼する特定の電話番号、使用制限を解除するためのパスワード、電話帳等を記憶する。さらに、記憶部２０５は、所定の処理に係る一時的なデータを一時的に記憶してもよい。
【００３１】
中央処理部２１０は、一又は複数個のプロセッサ及びその周辺回路を有する。中央処理部２１０は、携帯端末２の全体的な動作を統括的に制御するものであり、例えば、ＣＰＵ（Central Processing Unit）である。中央処理部２１０は、携帯端末２の各種処理が記憶部２０５に記憶されているプログラム、操作部２０２の操作、ＧＰＳ部２０４からの出力等に応じて適切な手順で実行されるように、無線通信部２０１、表示部２０３等の動作を制御する。中央処理部２１０は、記憶部２０５に記憶されているプログラム（ドライバプログラム、オペレーティングシステムプログラム、アプリケーションプログラム等）に基づいて処理を実行する。また、中央処理部２１０は、複数のプログラム（アプリケーションプログラム等）を並列に実行することができる。
【００３２】
中央処理部２１０は、取得部２１１と、制限制御部２１２と、表示制御部２１３と、発呼制御部２１４と、位置送信部２１５とを有する。中央処理部２１０が有するこれらの各部は、中央処理部２１０が有するプロセッサ上で実行されるプログラムによって実装される機能モジュールである。あるいは、中央処理部２１０が有するこれらの各部は、独立した集積回路、マイクロプロセッサ、又はファームウェアとして携帯端末２に実装されてもよい。
【００３３】
図３は、中央処理部２１０による携帯端末２の設定処理の動作フローの一例を示す図である。なお、以下に説明する動作フローは、予め記憶部２０５に記憶されているプログラムに基づいて、主に中央処理部２１０により、携帯端末２の各要素と協働して実行される。
【００３４】
最初に、取得部２１１は、無線通信部２０１を介してＳＭＳ送信サーバ６から、携帯端末２への設定要求があったことを通知する設定通知を受信するまで待機する（ステップＳ１０１）。
【００３５】
後述するように、管理端末３は、携帯端末２の設定を行うことができる。管理端末３は、携帯端末２への設定を行う場合、携帯端末２への設定要求を管理サーバ４へ送信する。管理サーバ４は、管理端末３から、携帯端末２への設定要求を受信すると、設定通知を生成してＳＭＳ生成サーバ５に送信する。ＳＭＳ生成サーバ５は、受信した設定通知をＳＭＴＰのプロトコルに従って電子メールとしてＳＭＳ送信サーバ６に送信し、ＳＭＳ送信サーバ６は、受信した設定通知をＳＭＳのメッセージとして携帯端末２に送信する。
【００３６】
設定通知には、設定要求がなされた旨、設定要求がなされた設定機能、及び、設定項目が格納された領域へアクセスするためのＵＲＬ（Uniform Resource Locator）等が含まれる。設定機能は、管理端末３により特定の項目が設定される機能であり、例えば「電話帳の編集」、「使用制限の設定」等である。設定項目は、設定機能について、管理端末３により設定される項目である。設定機能が「電話帳の編集」である場合、設定項目は、編集される連絡先、名前、ふりがな、電話番号、メールアドレス等である。また、設定機能が「使用制限の設定」である場合、設定項目は、使用制限を有効にするか無効にするか、使用制限中に発呼する特定の電話番号、使用制限を解除するためのパスワード等である。使用制限は、例えば、携帯端末２のユーザが携帯端末２を紛失した場合に、携帯端末２の拾得者等の第三者によって携帯端末２が悪用されることを防止するために有効に設定され、紛失した携帯端末２がユーザの手元に戻ってきた場合に無効に設定される。使用制限中に発呼する電話番号として、例えば、携帯端末２のユーザ又はその保護者が利用する、携帯端末２以外の電話の電話番号が設定される。ＵＲＬには、管理サーバ４のアドレス、並びに、管理端末３により指定された各設定項目が格納されたフォルダ名及びファイル名が示される。
【００３７】
次に、取得部２１１は、無線通信部２０１を介してＳＭＳ送信サーバ６から設定通知を受信すると（ステップＳ１０１−Ｙｅｓ）、無線通信部２０１を介して管理サーバ４へ、設定項目の取得を要求する設定取得要求を送信する。そして、取得部２１１は、無線通信部２０１を介して管理サーバ４から、設定項目を含む、設定取得要求に対する応答である設定取得応答を受信することにより、設定項目を取得する（ステップＳ１０２）。
【００３８】
以下では、設定機能が「使用制限の設定」であり且つ設定項目において使用制限を有効にすることが指定されている設定取得応答を制限設定信号と称する場合がある。また、設定機能が「使用制限の設定」であり且つ設定項目において使用制限を無効にすることが指定されている設定取得応答を制限解除信号と称する場合がある。上記した通り、設定取得応答には設定項目が含まれるため、制限設定信号には、使用制限中に発呼する電話番号、使用制限を解除するためのパスワード等に関する情報が含まれる。
【００３９】
取得部２１１は、例えば、ＨＴＴＰ（Hypertext Transfer Protocol）のプロトコルに従って、設定通知に含まれるＵＲＬにアクセスすることにより設定項目を取得する。
【００４０】
次に、取得部２１１は、設定通知に含まれる設定機能について、取得した設定項目を設定し（ステップＳ１０３）、一連のステップを終了する。
【００４１】
取得部２１１は、例えば、設定機能が「電話帳の編集」である場合、記憶部２０５に記憶された電話帳に、設定項目において指定された連絡先の名前、ふりがな、電話番号、メールアドレス等を設定する。また、取得部２１１は、設定機能が「使用制限の設定」である場合、設定項目において使用制限を有効にすると指定されている場合、記憶部２０５に記憶された制限フラグをＯＮに設定し、使用制限を無効にすると指定されている場合、制限フラグをＯＦＦに設定する。また、取得部２１１は、設定項目において使用制限を有効にすると指定されている場合、設定項目において指定された、使用制限中に発呼する電話番号、及び使用制限を解除するためのパスワードを記憶部２０５に設定する。
【００４２】
なお、取得部２１１は、設定取得応答が制限設定信号又は制限解除信号である場合、無線通信部２０１が制限設定信号又は制限解除信号を受信した旨を制限制御部２１２に通知する。
【００４３】
このように、管理サーバ４は、設定通知をＳＭＳ生成サーバ５及びＳＭＳ送信サーバ６を介してＳＭＳのメッセージとして携帯端末２に送信することにより、携帯端末２にＨＴＴＰサーバ機能等を実装することなく、管理端末３から設定要求を受信した旨を携帯端末２にリアルタイムに通知することができる。また、携帯端末２は、ＨＴＴＰのプロトコルに従って設定項目を管理サーバ４から取得することにより、ＳＭＳのメッセージで送信することが困難な大容量の設定項目を取得することができる。上記機能は、管理サーバ４がＨＴＴＰサーバ機能を有していれば実現可能であり、携帯端末２にＨＴＴＰサーバ機能等を実装する必要がないため、携帯端末２の開発規模を高めることなく実現することができる。
【００４４】
図４は、中央処理部２１０による使用制限処理の動作フローの一例を示す図である。なお、以下に説明する動作フローは、予め記憶部２０５に記憶されているプログラムに基づいて、主に中央処理部２１０により、携帯端末２の各要素と協働して実行される。この動作フローは、ユーザにより操作部２０２を介して経路案内の実施が指示された場合に実行される。
【００４５】
最初に、制限制御部２１２は、取得部２１１から、無線通信部２０１が制限設定信号を受信した旨が通知されるまで待機する（ステップＳ２０１）。
【００４６】
次に、制限制御部２１２は、無線通信部２０１が制限設定信号を受信し、取得部２１１からその旨が通知された場合に（ステップＳ２０１−Ｙｅｓ）、特定の機能の使用を制限する（ステップＳ２０２）。特定の機能は、例えば、特定の電話番号に対する発着呼、電子メールの送受信、電話帳の閲覧等である。なお、制限制御部２１２は、記憶部２０５に記憶された使用制限中に発呼する特定の電話番号のみへの発呼と、解除指示の受付以外の全ての機能の使用を制限してもよい。
【００４７】
次に、表示制御部２１３は、制限制御部２１２が特定の機能の使用を制限した場合に、記憶部２０５に記憶された特定の電話番号のみへ発呼するための発呼画面を表示部２０３に表示する（ステップＳ２０３）。
【００４８】
図５（ａ）は、発呼画面の一例を示す。図５（ａ）に示すように、発呼画面５００には、携帯端末２が使用制限中でありロックされている旨と、拾得者に対して発呼を依頼する旨とを表す画面５０１と、特定の電話番号へ発呼するための発呼ボタン５０２と、使用制限を解除するための解除ボタン５０３が表示される。解除ボタン５０３がタップされると、使用制限を解除するためのパスワードを入力するパスワード入力画面が表示される。
【００４９】
図５（ｂ）は、パスワード入力画面の一例を示す。図５（ｂ）に示すように、パスワード入力画面５１０には、使用制限を解除するためのパスワードを入力する入力欄５１１が表示される。
【００５０】
次に、表示制御部２１３は、操作部２０２を用いて特定の電話番号への発呼が指示されたか否かを判別する（ステップＳ２０４）。表示制御部２１３は、操作部２０２を用いて発呼ボタン５０２がタップされた場合に、特定の電話番号への発呼が指示されたと判定する。
【００５１】
操作部２０２を用いて特定の電話番号への発呼が指示されていない場合（ステップＳ２０４−Ｎｏ）、表示制御部２１３は、特に処理を行わず、処理をステップＳ２０６へ移行する。
【００５２】
一方、操作部２０２を用いて特定の電話番号への発呼が指示された場合（ステップＳ２０４−Ｙｅｓ）、発呼制御部２１４は、記憶部２０５に記憶された特定の電話番号へ発呼する（ステップＳ２０５）。
【００５３】
次に、制限制御部２１２は、使用制限の解除指示がなされたか否かを判別する（ステップＳ２０６）。
【００５４】
制限制御部２１２は、操作部２０２を用いてユーザにより、発呼画面の解除ボタン５０３がタップされ、且つパスワード入力画面においてパスワードが入力されると、入力されたパスワードと記憶部２０５に記憶された使用制限を解除するためのパスワードとが一致するか否かを判定する。制限制御部２１２は、入力されたパスワードと使用制限を解除するためのパスワードとが一致した場合、使用制限の解除指示がなされたと判定する。また、制限制御部２１２は、取得部２１１から、無線通信部２０１が制限解除信号を受信した旨が通知された場合も、使用制限の解除指示がなされたと判定する。
【００５５】
次に、制限制御部２１２は、使用制限の解除指示がなされていない場合（ステップＳ２０６−Ｎｏ）、処理をステップＳ２０４へ戻し、ステップＳ２０４〜Ｓ２０５の処理を繰り返す。
【００５６】
一方、制限制御部２１２は、使用制限の解除指示がなされた場合（ステップＳ２０６−Ｙｅｓ）、特定の機能の使用の制限を解除する（ステップＳ２０７）。なお、制限制御部２１２は、操作部２０２を用いたユーザの指示により、使用制限の解除指示がなされた場合、記憶部２０５の制限フラグを無効に設定する。次に、制限制御部２１２は、処理をステップＳ２０１へ戻し、再度、取得部２１１から、無線通信部２０１が制限設定信号を受信した旨が通知されるまで待機する。
【００５７】
なお、位置送信部２１５が、携帯端末２が存在する位置を示す位置信号を特定の宛先に送信し、表示部２０３は、制限制御部２１２が特定の機能の使用を制限した際に、ＧＰＳ部２０４が携帯端末２が存在する位置を検出できない場合、又は位置信号を送信した特定の宛先から位置信号を受信したことを示す応答信号を受信しない場合に限り、発呼画面を表示してもよい。
【００５８】
その場合、位置送信部２１５は、定期的に、ＧＰＳ部２０４から位置情報を取得し、取得した位置情報を示す位置信号を無線通信部２０１を介して、記憶部２０５に記憶された特定の電話番号宛てにＳＭＳのメッセージとして送信する。なお、特定の電話番号と同様にして特定のメールアドレスを記憶部２０５に記憶しておき、位置送信部２１５は、位置信号を無線通信部２０１を介して特定のメールアドレス宛てに電子メールとして送信してもよい。
【００５９】
一方、表示制御部２１３は、ステップＳ２０３において、ＧＰＳ部２０４が携帯端末２が存在する位置を検出できない場合、又は位置信号を送信した特定の宛先から応答信号を受信しない場合に限り、発呼画面を表示部２０３に表示する。一方、表示制御部２１３は、ＧＰＳ部２０４が携帯端末２が存在する位置を検出し、且つ位置信号を送信した特定の宛先から応答信号を受信した場合、携帯端末２のユーザ又はその保護者が携帯端末２の現在位置を把握することができると判定して表示制御部２１３を表示部２０３に表示しない。これにより、携帯端末２の拾得者によって無用に発呼されることを抑制することができる。
【００６０】
図６（ａ）は、管理端末３の概略構成の一例を示す図である。
【００６１】
管理端末３は、携帯端末２と同様に、通信装置の一例であり、例えば多機能携帯電話であり、無線通信ネットワークへの接続、携帯端末２への各種設定、所定のアプリケーションプログラムの実行等を可能とする。そのために、管理端末３は、無線通信部３０１と、操作部３０２と、表示部３０３と、ＧＰＳ部３０４と、記憶部３０５と、中央処理部３１０とを備える。なお、管理端末３は、通信機能を有する通信装置であればよく、例えば携帯情報端末、携帯ゲーム機、携帯音楽プレーヤ、タブレットＰＣ等でもよい。
【００６２】
無線通信部３０１、操作部３０２、表示部３０３、ＧＰＳ部３０４及び記憶部３０５は、携帯端末２の無線通信部２０１、操作部２０２、表示部２０３、ＧＰＳ部２０４及び記憶部２０５と同様であるため、説明を省略する。
【００６３】
ただし、記憶部３０５は、データとして、管理端末３から各種の設定をすることが可能な携帯端末２を管理する被管理端末管理テーブル（図６（ｂ））等を記憶する。
【００６４】
図６（ｂ）は、被管理端末管理テーブルのデータ構造の一例を示す図である。
【００６５】
図６（ｂ）には、被管理端末管理テーブルが示されている。被管理端末管理テーブルは、管理端末３から各種の設定をすることが可能な各携帯端末２について、当該携帯端末２の識別番号（被管理端末ＩＤ）、被管理者の名前（例えば、父）、電話番号、メールアドレス等が記憶される。
【００６６】
中央処理部３１０は、携帯端末２の中央処理部２１０と同様に、管理端末３の全体的な動作を統括的に制御するものであり、例えば、ＣＰＵである。
【００６７】
中央処理部３１０は、設定要求部３１１を有する。設定要求部３１１は、中央処理部２１０が有するプロセッサ上で実行されるプログラムによって実装される機能モジュールである。あるいは、設定要求部３１１は、独立した集積回路、マイクロプロセッサ、又はファームウェアとして管理端末３に実装されてもよい。
【００６８】
図７は、中央処理部３１０による携帯端末２の設定処理の動作フローの一例を示す図である。なお、以下に説明する動作フローは、予め記憶部３０５に記憶されているプログラムに基づいて、主に中央処理部３１０により、管理端末３の各要素と協働して実行される。
【００６９】
最初に、設定要求部３１１は、端末選択画面を表示部３０３に表示する（ステップＳ３０１）。
【００７０】
図８（ａ）〜（ｄ）は、携帯端末２の設定処理に用いられる各画面の一例を示す図である。
【００７１】
図８（ａ）は、端末選択画面の一例を示す。図８（ａ）に示すように、端末選択画面８００には、管理端末３から各種の設定をすることが可能な携帯端末２毎に、当該携帯端末２のユーザ（被管理者）の名前、電話番号、メールアドレス等の情報８０１が表示される。また、端末選択画面８００には、設定処理を終了するための終了ボタン８０２が表示される。
【００７２】
次に、設定要求部３１１は、操作部２０２を用いた管理者による設定対象とする携帯端末２の指定を受け付ける（ステップＳ３０２）。
【００７３】
次に、設定要求部３１１は、機能選択画面を表示部３０３に表示する（ステップＳ３０３）。
【００７４】
図８（ｂ）は、機能選択画面の一例を示す。図８（ｂ）に示すように、機能選択画面８１０には、管理端末３が設定することが可能な機能の一覧８１１が表示される。また、機能選択画面８１０には、端末選択画面に戻るための「戻る」ボタン８１２が表示される。
【００７５】
次に、設定要求部３１１は、操作部２０２を用いた管理者による設定対象とする携帯端末２の機能の指定を受け付ける（ステップＳ３０４）。
【００７６】
次に、設定要求部３１１は、詳細設定画面を表示部３０３に表示する（ステップＳ３０５）。
【００７７】
図８（ｃ）は、「電話帳の編集」の詳細設定画面の一例を示す。図８（ｃ）に示すように、「電話帳の編集」の詳細設定画面８２０には、連絡先ごとに、名前、ふりがな、電話番号及びメールアドレス等の設定項目８２１が指定可能に表示される。また、詳細設定画面８２０には、設定ボタン８２２と、機能選択画面に戻るための「戻る」ボタン８２３とが表示される。
【００７８】
図８（ｄ）は、「使用制限の設定」の詳細設定画面の一例を示す。図８（ｄ）に示すように、「使用制限の設定」の詳細設定画面８３０には、使用制限を有効にするか無効にするかを指定するための選択ボタン８３１と、使用制限中に発呼する電話番号の入力欄８３２と、使用制限を解除するためのパスワードの入力欄８３３とが表示される。また、詳細設定画面８３０には、設定ボタン８３４と、機能選択画面に戻るための「戻る」ボタン８３５とが表示される。
【００７９】
なお、設定要求部３１１は、無線通信部３０１を介して管理サーバ４から、管理サーバ４が記憶している、携帯端末２に現在設定されている設定項目を取得して、取得した設定項目を詳細設定画面に表示してもよい。これにより、管理者は、携帯端末２に現在設定されている設定項目を参照しながら、設定項目を指定することができる。
【００８０】
次に、設定要求部３１１は、操作部２０２を用いた管理者による設定項目の指定を受け付ける（ステップＳ３０６）。設定要求部３１１は、操作部２０２を用いて管理者により、設定項目が指定され、設定ボタンがタップされると、指定された設定項目を受け付ける。
【００８１】
次に、設定要求部３１１は、詳細設定の指定を受け付けると、無線通信部３０１を介して管理サーバ４へ設定要求を送信する（ステップＳ３０７）。設定要求には、携帯端末２の被管理端末ＩＤ、管理端末３の管理端末ＩＤ、ステップＳ３０４で受け付けた設定機能、ステップＳ３０６で受け付けた設定項目等が含まれる。
【００８２】
次に、設定要求部３１１は、無線通信部３０１を介して管理サーバ４から設定応答を受信するまで待機する（ステップＳ３０８）。
【００８３】
次に、設定要求部３１１は、無線通信部３０１を介して管理サーバ４から設定応答を受信すると（ステップＳ３０８−Ｙｅｓ）、受信した設定応答に示される結果を表示部３０３に表示し（ステップＳ３０９）、一連のステップを終了する。
【００８４】
図９（ａ）は、管理サーバ４の概略構成の一例を示す図である。
【００８５】
管理サーバ４は、通信装置の一例であり、管理端末３から携帯端末２への設定要求を受信し、受信した設定要求が正しいか否かを判定して、ＳＭＳ生成サーバ５及びＳＭＳ送信サーバ６を介して携帯端末２へ設定通知を送信する。そのために、管理サーバ４は、サーバ通信部４０１と、サーバ記憶部４０２と、サーバ処理部４１０とを備える。
【００８６】
サーバ通信部４０１は、イーサネット（登録商標）などの有線の通信インターフェース回路を有する。サーバ通信部４０１は、通信ネットワーク９を介して携帯端末２、管理端末３、ＳＭＳ生成サーバ５等と通信を行う。そして、サーバ通信部４０１は、携帯端末２、管理端末３、ＳＭＳ生成サーバ５等から受信したデータをサーバ処理部４１０に供給する。また、サーバ通信部４０１は、サーバ処理部４１０から供給されたデータを携帯端末２、管理端末３、ＳＭＳ生成サーバ５等に送信する。
【００８７】
サーバ記憶部４０２は、例えば、半導体メモリ、磁気ディスク装置、及び光ディスク装置のうちの少なくともいずれか一つを有する。サーバ記憶部４０２は、サーバ処理部４１０による処理に用いられるドライバプログラム、オペレーティングシステムプログラム、アプリケーションプログラム、データ等を記憶する。例えば、サーバ記憶部４０２は、ドライバプログラムとして、サーバ通信部４０１を制御する通信デバイスドライバプログラム等を記憶する。また、サーバ記憶部４０２は、オペレーティングシステムプログラムとして、ＴＣＰ／ＩＰ（Transmission Control Protocol / Internet Protocol）等の通信方式による接続制御プログラム等を記憶する。また、サーバ記憶部４０２は、アプリケーションプログラムとして、各種データの送受信を行うととともに、管理端末３から受信した設定要求が正しいか否かを判定するデータ処理プログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部４０２にインストールされてもよい。また、サーバ記憶部４０２は、データとして、各種の設定項目を各携帯端末２に対して設定することが可能な各管理端末３を管理する端末管理テーブル（図９（ｂ））、管理端末３から携帯端末２への設定要求で指定された設定機能及び設定項目（例えば、制限フラグ、特定の電話番号、パスワード、電話帳等）等を記憶する。また、サーバ記憶部４０２は、所定の処理に係る一時的なデータを一時的に記憶する。
【００８８】
図９（ｂ）は、端末管理テーブルのデータ構造の一例を示す図である。
【００８９】
図９（ｂ）には、端末管理テーブルが示されている。端末管理テーブルは、設定可能な組合せ毎に、被管理端末である携帯端末２の識別番号（被管理端末ＩＤ）、管理端末３の識別番号（管理端末ＩＤ）、管理者の名前、電話番号、メールアドレス等が記憶される。
【００９０】
サーバ処理部４１０は、一又は複数個のプロセッサ及びその周辺回路を有する。サーバ処理部４１０は、管理サーバ４の全体的な動作を統括的に制御するものであり、例えば、ＣＰＵである。サーバ処理部４１０は、管理サーバ４の各種処理がサーバ記憶部４０２に記憶されているプログラム等に応じて適切な手順で実行されるように、サーバ通信部４０１等の動作を制御する。サーバ処理部４１０は、サーバ記憶部４０２に記憶されているプログラム（ドライバプログラム、オペレーティングシステムプログラム、アプリケーションプログラム等）に基づいて処理を実行する。また、サーバ処理部４１０は、複数のプログラム（アプリケーションプログラム等）を並列に実行することができる。
【００９１】
サーバ処理部４１０は、設定管理部４１１を有する。設定管理部４１１は、サーバ処理部４１０が有するプロセッサ上で実行されるプログラムによって実装される機能モジュールである。あるいは、設定管理部４１１は、独立した集積回路、マイクロプロセッサ、又はファームウェアとして管理サーバ４に実装されてもよい。
【００９２】
図１０は、サーバ処理部４１０による携帯端末２の設定処理の動作フローの一例を示す図である。なお、以下に説明する動作フローは、予めサーバ記憶部４０２に記憶されているプログラムに基づいて、主にサーバ処理部４１０により、管理サーバ４の各要素と協働して実行される。
【００９３】
最初に、設定管理部４１１は、サーバ通信部４０１を介して管理端末３から、携帯端末２への設定を要求する設定要求を受信するまで待機する（ステップＳ４０１）。
【００９４】
次に、設定管理部４１１は、サーバ通信部４０１を介して管理端末３から設定要求を受信すると（ステップＳ４０１−Ｙｅｓ）、受信した設定要求に含まれる被管理端末ＩＤ及び管理端末ＩＤがサーバ記憶部４０２の端末管理テーブルに対応付けて登録された被管理端末ＩＤ及び管理端末ＩＤと一致するか否かを判定する（ステップＳ４０２）。
【００９５】
次に、設定管理部４１１は、受信した設定要求に含まれる被管理端末ＩＤ及び管理端末ＩＤが端末管理テーブルに対応付けて登録された被管理端末ＩＤ及び管理端末ＩＤと一致しない場合（ステップＳ４０２−Ｎｏ）、設定拒否を示す設定応答をサーバ通信部４０１を介して管理端末３に送信し（ステップＳ４０３）、一連のステップを終了する。
【００９６】
一方、設定管理部４１１は、受信した設定要求に含まれる被管理端末ＩＤ及び管理端末ＩＤが端末管理テーブルに対応付けて登録された被管理端末ＩＤ及び管理端末ＩＤと一致する場合（ステップＳ４０２−Ｙｅｓ）、受信した設定要求に含まれる設定機能及び設定項目をサーバ記憶部４０２に記憶する（ステップＳ４０４）。
【００９７】
次に、設定管理部４１１は、設定許可を示す設定応答をサーバ通信部４０１を介して管理端末３に送信する（ステップＳ４０５）。
【００９８】
次に、設定管理部４１１は、設定通知をサーバ通信部４０１を介してＳＭＳ生成サーバ５に送信する（ステップＳ６０６）。設定通知には、設定要求があった旨、設定要求に含まれる設定機能、設定項目が格納された領域へアクセスするためのＵＲＬ等が含まれる。
【００９９】
次に、設定管理部４１１は、サーバ通信部４０１を介して携帯端末２から、設定取得要求を受信するまで待機する（ステップＳ６０７）。
【０１００】
次に、設定管理部４１１は、サーバ通信部４０１を介して携帯端末２から設定取得要求を受信すると（ステップＳ６０７−Ｙｅｓ）、サーバ記憶部４０２に記憶しておいた設定項目を含む設定取得応答をサーバ通信部４０１を介して携帯端末２に送信し（ステップＳ６０８）、一連のステップを終了する。
【０１０１】
なお、サーバ記憶部４０２は、設定管理部４１１が携帯端末２に設定項目を送信した後も、対応する設定機能及び設定項目を、携帯端末２に現在設定されている設定機能及び設定項目として記憶し続ける。
【０１０２】
以上説明してきたように、携帯端末２は、管理サーバ４から制限設定信号を受信した場合に特定の機能の使用を制限することにより、携帯端末２が紛失された場合に拾得者によって悪用されることを防止することが可能となる。さらに、携帯端末２は、特定の電話番号のみへ発呼するための画面を表示して特定の電話番号への発呼の指示を受け付けることにより、拾得者によって、予め設定しておいた電話番号へ発呼してもらえることが可能となる。したがって、携帯端末２が、ＧＰＳの電波の届かない場所又はネットワーク測位の精度が悪い場所に存在する場合でも、携帯端末２のユーザは、拾得者と会話して携帯端末２の現在の位置等の状態を把握することが可能となる。
【０１０３】
また、携帯端末２の各機能について、管理端末３からの保護者による設定が可能となり、携帯端末２のユーザが使用にあたり支援が必要な者であっても、携帯端末２を容易に利用することが可能となる。携帯端末２のユーザが拾得者との会話に支障がある場合は、保護者の連絡先を使用制限中に発呼する電話番号として設定しておくことにより、保護者が拾得者と会話して携帯端末２の現在の位置等を把握することが可能となる。
【０１０４】
なお、本発明は、本実施形態に限定されるものではない。例えば、本実施形態では、管理端末３は、管理サーバ４を介して携帯端末２の設定を行ったが、管理サーバ４を介さずに、直接、携帯端末２に対して設定を行ってもよい。その場合、管理端末３は、携帯端末２に設定要求を送信し、携帯端末２が、管理端末３が携帯端末２に対して各種の設定をすることが可能な管理端末を判定する。そして、携帯端末２は、管理端末３が携帯端末２に対して各種の設定をすることが可能な管理端末である場合、設定要求に含まれる設定機能について、設定要求に含まれる設定項目を設定する。
【０１０５】
また、通信システム１においてＳＭＳ生成サーバ５及びＳＭＳ送信サーバ６を省略してもよい。その場合、管理サーバ４が、ＳＭＳ生成サーバ５及びＳＭＳ送信サーバ６の機能を有し、ＳＭＳのメッセージを直接携帯端末２に送信する。
【０１０６】
当業者は、本発明の精神及び範囲から外れることなく、様々な変更、置換及び修正をこれに加えることが可能であることを理解されたい。
【符号の説明】
【０１０７】
１    通信システム
２    携帯端末
２０１    無線通信部
２０２    操作部
２０３    表示部
２０４    ＧＰＳ部
２０５    記憶部
２１１    取得部
２１２    制限制御部
２１３    表示制御部
２１４    発呼制御部
２１５    位置送信部
【図１】
2015088831.tif 000003
【図２】
2015088831.tif 000004
【図３】
2015088831.tif 000005
【図４】
2015088831.tif 000006
【図５】
2015088831.tif 000007
【図６】
2015088831.tif 000008
【図７】
2015088831.tif 000009
【図８】
2015088831.tif 000010
【図９】
2015088831.tif 000011
【図１０】
2015088831.tif 000012
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
端末であって、
前記端末が存在する位置を検出する位置検出部と、
前記端末が存在する位置を示す位置信号を特定の宛先に送信する位置送信部と、
無線通信により、通信装置から、特定の機能の使用を制限するための制限設定信号を受信する無線通信部と、
前記無線通信部が前記制限設定信号を受信した場合に、前記特定の機能の使用を制限する制限制御部と、
前記制限制御部が前記特定の機能の使用を制限した際に、前記位置検出部が前記端末が存在する位置を検出できない場合、又は前記特定の宛先から前記位置信号を受信したことを示す応答信号を受信しない場合に限り、特定の電話番号のみへ発呼するための画面を表示する表示部と、
前記特定の電話番号への発呼を指示する操作部と、
前記操作部を用いて前記特定の電話番号への発呼が指示されると、前記特定の電話番号へ発呼する発呼制御部と、
を有することを特徴とする端末。
【請求項２】
前記特定の電話番号に関する情報は、前記制限設定信号に含まれる、請求項１に記載の端末。
【請求項３】
前記特定の電話番号を前記端末に設定することが可能な第２端末を管理するサーバから、第２端末により設定された前記特定の電話番号を取得する取得部をさらに有する、請求項１又は２に記載の端末。
【請求項４】
端末が存在する位置を検出する位置検出部と、前記端末が存在する位置を示す位置信号を特定の宛先に送信する位置送信部と、無線通信により通信を行う無線通信部と、表示部と、操作部と、を有する前記端末の制御プログラムであって、
前記無線通信部を介して通信装置から、特定の機能の使用を制限するための制限設定信号を受信し、
前記制限設定信号を受信した場合に、前記特定の機能の使用を制限し、
前記特定の機能の使用を制限した際に、前記位置検出部が前記端末が存在する位置を検出できない場合、又は前記特定の宛先から前記位置信号を受信したことを示す応答信号を受信しない場合に限り、特定の電話番号のみへ発呼するための画面を前記表示部に表示し、
前記操作部を用いて前記特定の電話番号への発呼が指示されると、前記特定の電話番号へ発呼する、
ことを前記端末に実行させることを特徴とする制御プログラム。